(57)【要約】  ウェブ印刷ユニット（２０５−１）は、第１の版胴（２２０−１ａ）と、第１の版胴（２２０−１ａ）に接触するための第１のブランケット胴（２１５−１ａ）と、第２のブランケット胴（２１５−１ｂ）と、第２のブランケット胴（２１５−１ｂ）に接触するための第２の版胴（２２０−１ｂ）とを有する。印刷されるウェブ（２１０）は、ブランケット対ブランケット位置において第１のブランケット胴（２１５−１ａ）と第２のブランケット胴（２１５−１ｂ）との間を通過し、第１のブランケット胴（２１５−１ａ）及び第２のブランケット胴（２１５−１ｂ）は離反させられることができる。空気源（２３０，２３５）はウェブ（２１０）の側方に配置されており、ブランケット胴が回転しながらブランケット対ブランケット位置に向かって上流へ空気を吹き付けるように向き付けられている。
2009525206.tif 000002
【特許請求の範囲】
【請求項１】
ウェブ印刷ユニットにおいて、
第１の版胴と、
該第１の版胴に接触するための第１のブランケット胴と、
第２のブランケット胴と、
該第２のブランケット胴に接触するための第２の版胴とが設けられており、印刷されるウェブが、ブランケット対ブランケット位置において第１のブランケット胴と第２のブランケット胴との間を通過するようになっており、第１及び第２のブランケット胴が、離反させられ、離反させられながら回転することができるようになっており、
第１及び第２のブランケット胴が離反させられながら回転しているときにブランケット対ブランケット位置に向かって上流へ空気を吹き付けるように向き付けられた、ウェブの第１の側に配置された第１の空気源が設けられていることを特徴とする、ウェブ印刷ユニット。
【請求項２】
ブランケット対ブランケット位置に向かって上流へ空気を吹き付けるように向き付けられた、ウェブの第２の側に配置された第２の空気源が設けられている、請求項１記載の印刷ユニット。
【請求項３】
第１の空気源の角度を変化させるための及び／又は第１の空気源を上流又は下流へ移動させるための、第１の空気源に接続された第１のアクチュエータが設けられている、請求項１記載の印刷ユニット。
【請求項４】
第１の版胴及び第２の版胴における刷版を交換するための自動刷版交換装置が設けられている、請求項１記載の印刷ユニット。
【請求項５】
第１の空気源が、マニホールド及び２つ又は３つ以上の空気出口を有する、請求項１記載の印刷ユニット。
【請求項６】
第２の空気源が、マニホールド及び２つ又は３つ以上の空気出口を有する、請求項２記載の印刷ユニット。
【請求項７】
第１の空気源が、ウェブの幅方向で細長い１つの出口を有する、請求項１記載の印刷ユニット。
【請求項８】
第２の空気源が、ウェブの幅方向で細長い１つの出口を有する、請求項２記載の印刷ユニット。
【請求項９】
印刷されるウェブを安定化する方法において、
ウェブをブランケット対ブランケット位置において第１のブランケット胴と第２のブランケット胴との間を通過させ、
第１のブランケット胴と第２のブランケット胴とをウェブから離反させ、
第１のブランケット胴と第２のブランケット胴とが離反させられながら回転している間、ウェブの一方の側においてブランケット対ブランケット位置に向かって上流へ空気を吹き付けることを含むことを特徴とする、印刷されるウェブを安定化する方法。
【請求項１０】
ウェブの第２の側においてブランケット対ブランケット位置に向かって上流へ空気を吹き付ける、請求項９記載の方法。
【請求項１１】
ウェブの一方の側における吹付け空気の角度を変化させる、請求項９記載の方法。
【請求項１２】
ウェブの第２の側における吹付け空気の角度を変化させる、請求項１０記載の方法。
【請求項１３】
吹付けステップの間に第１の版胴から刷版を自動的に取り外す、請求項９記載の方法。
【請求項１４】
ブランケット対ブランケット位置の上流から下流へ空気が吹き付けられない、請求項９記載の方法。
【請求項１５】
吹付けに関してブランケット対ブランケット位置においてウェブを位置決めする、請求項９記載の方法。
【請求項１６】
請求項１記載のウェブ印刷ユニットを含む印刷機。
【発明の詳細な説明】
【技術分野】
【０００１】
本発明は印刷機、特にウェブ安定化装置に関する。
【０００２】
複数の印刷ユニットを有するウェブ輪転印刷機において、ブランケット胴をウェブから離反させることによって１つ又は２つ以上の印刷ユニットを印刷することを停止させることが望ましい。これは、例えば刷版又はブランケット胴の交換を可能にする。自動刷版交換は、自動転移印刷ユニットを使用して行われることができる。このような印刷機は例えば、Sunday 2000 Autotransfer PressとしてGoss Internationalによって製造されている。
【０００３】
ブランケット胴がウェブから離反させられる場合、ウェブは２つのブランケット胴の間を自由に通過することができる。離反させられたブランケット胴の間をウェブが通過するとき、ウェブは面外振動を生じる。特に、これらの面外振動は、胴抜きされている時に自動転移ユニットのブランケット胴が回転している場合、及び通常印刷速度でウェブが通過している場合に生じるおそれがある。
【０００４】
ウェブが面外振動を生じるとウェブがブランケット胴と不意に接触するおそれがある。ウェブがブランケット胴と不意に接触すると、ウェブにおける印刷欠陥又はウェブ破損を生じるおそれがある。印刷業界においては、移動するウェブを安定させるために印刷ユニットの上流及び下流に配置されたローラを使用することが知られている。しかしながら、ローラはウェブにマーキング又は損傷を生じるおそれがある。
【０００５】
引用したことにより本明細書に記載されたこととする米国特許第５９２４６１９号明細書は、停止させられた印刷ユニットの離反させられた胴の間に印刷されたウェブを通過させるための装置を開示しており、空気吹付け装置を使用する。
【０００６】
図１を参照すると、ウェブ１１０を備え、ウェブ安定化装置を備えない従来の印刷機１００が示されている。印刷機１００は印刷ユニット１０５−１〜１０５−ａを有しており、ａは所定の値であり、好適には２つのブラック印刷ユニットを有する５つのユニット及びそれぞれマゼンタ、シアン、イエロー、ブラックのための２つの印刷ユニットを有する８つのユニットを備えた自動転移印刷機のために、５又は８である。印刷ユニット１０５−１〜１０５−ａはそれぞれ４つの胴、２つのブランケット胴、２つの版胴、及び２つの自動刷版交換装置を有する。印刷ユニット１０５−１はブランケット胴１１５−ａ，ｂ、版胴１２０−１ａ，ｂ及び自動刷版交換装置１６０−１ａ，ｂを有する。印刷ユニット１０５−２はブランケット胴１１５−２ａ，ｂ及び版胴１２０−２ａ，ｂを有しており、全ての４つの胴は接触することなく転動し、これは、例えば自動刷版交換装置１６０−２ａ，ｂによる自動刷版転移を行うことができる。図１に示されているように、ウェブ１１０が矢印１２５によって示された方向に移動すると、ウェブ１１０は面外振動（矢印１３０によって示されている）を生じ、ウェブがブランケット胴１１５−２ａ，ｂと不意に接触するおそれがある。
【０００７】
発明の概要
本発明は、第１の版胴と、第１の版胴に接触するためのブランケット胴と、第２のブランケット胴と、第２のブランケット胴と接触するための第２の版胴とを有するウェブ印刷ユニットを提供する。印刷されるウェブは、ブランケット対ブランケット位置において第１のブランケット胴と第２のブランケット胴との間を通過し、第１及び第２のブランケット胴は、離反させられ、離れたまま回転することができる。空気源は、ウェブの側方に配置されており、胴が離反させられかつ回転している時に、ブランケット対ブランケット位置に向かって上流へ空気を吹き付けるように向き付けられている。
【０００８】
図面の簡単な説明
本発明の別の目的、特徴及び利点は、添付の図面に関連した以下の詳細な説明から明らかになるであろう。
【０００９】
図１は、ウェブを安定化させることのない、複数の印刷ユニットを有する従来の自動転移印刷機を示している。
【００１０】
図２は、本発明の実施形態による非接触安定化装置を備えた印刷機を示している。
【００１１】
図３は、本発明の実施形態によるブロワの実施形態を示している。
【００１２】
図４は、本発明の実施形態によるブロワの実施形態を示している。
【００１３】
詳細な説明
本発明の実施形態によれば、１つ又は２つ以上のブロワは、ウェブの近傍においてブランケット対ブランケットニップ出口において上流方向に空気を吹き付け、これは、ブランケット胴が回転している間にばたつきを低減しかつウェブを安定化させることができる。
【００１４】
図２は、移動するウェブ２１０の面外ウェブ安定性を改良するためのブロワ２３０及び２３５を備えた本発明の印刷機を示している。図２に示されているように、印刷機２００は印刷ユニット２０５−１〜２０５−ｎを有しており、ｎは所定の値である。各印刷ユニット２０５−１〜２０５−ｎは、４つの胴、すなわちブランケット胴２１５−１ａ，ｂ〜２１５−ｎａ，ｂと、版胴２２０−１ａ，ｂ〜２２０−ｎａ，ｂと、自動刷版交換ユニット２２１−１ａ，ｂ〜２２１−ｎａ，ｂとを備えて示されている。
【００１５】
図２に示されているように、印刷ユニット２０５−１及び２０５−ｎは、回転する全ての４つの胴と、ウェブ２１０と接触したブランケット胴２１５−１ａ，ｂ及び２１５−ｎａ，ｂとを有している。これに対して、印刷ユニット２０５−２は、ウェブ２１０と接触することなく回転するブランケット胴２１５−２ａ，ｂ及び版胴２２０−２ａ，ｂを有している。ウェブ２１０は矢印２２５によって示された方向に印刷ユニット２０５−１〜印刷ユニット２０５−ｎへ移動する。ウェブ２１０は、ブロワ２３０及び２３５の間を通過する前に、印刷ユニット２０５−１の間及び印刷ユニット２０５−２の間を通過する。
【００１６】
本発明の実施形態によれば、ブロワ２３０及び２３５は、ブランケット対ブランケットニップの出口側に位置決めされている。ブロワ２３０及び２３５は、ブランケット対ブランケット位置に向かって上流に空気吹き付けるように向き付けられており、これにより、ウェブ２１０の面外振動を減じる。ウェブ２１０を面外振動させる不安定化力は、ブロワ２３０及び２３５からの空気流によって妨害され、この空気流は、ウェブを通常の走行位置へ戻す。さらに、本発明の実施形態によれば、１つのブロワ、例えばブロワ２３５がウェブ２１０を安定化させるために使用されることができる。
【００１７】
ブロワ２３０及び２３５は、ウェブ２１０とブロワ２３０及び２３５との間の距離及び角度が調整されることができるようにアクチュエータ２３２によって可動である。上述のように、ブロワ２３０及び２３５によって生ぜしめられる空気流は、ウェブ２１０の面外振動を阻止し、ウェブ２１０が印刷ユニット２０５−２から出る時にウェブ２１０を安定化させる。
【００１８】
本発明によるブロワ２３０及び２３５の様々な実施形態が図３及び図４に示されている。図３は、ブロワ２３０が、４つの空気出口３０５〜３２０を備えたマニホールド３２５を有する実施形態を示している。図４は、ブロワ２３０が、空気出口をブランケット対ブランケット出口ニップに向かって方向付けるためにウェブ幅方向に細長い開口を備えた１つのノズル４０５を有する別の実施形態を示している。ブロワ２３０及び２３５は、印刷機内の既存の構造体に組み込まれることができる。
【００１９】
空気の所望の体積流量は、例えばある速度における実験によって決定されることができ、ウェブ速度に関して変化させられることができる。安定化の間、刷版は自動的に交換されることができる。印刷ユニットの数は好適には５つ以上であるが、あらゆる数であることができる。
【００２０】
別個のブロワに対して、印刷機プラント内の圧縮機から利用可能な圧縮空気等の、あらゆる供給源からの空気が使用されることができる。例えば、９０ｐｓｉの圧縮空気は、ノズル圧力を１０〜１５ｐｓｉに設定するためのレギュレータに接続されることができる。ウェブのそれぞれの側はレギュレータを有することができ、ウェブをブランケット対ブランケット間隙内の特定の位置にセンタリング又は付勢するように変化させられる圧力又はノズル位置及び向きを有する。例えば、一方の側における圧力は、ウェブをその方向へ移動させるために低下させられるか又はゼロに設定されることができる。圧力又はノズル位置及び向きも、ブランケット胴速度に関して変化させられることができる。
【００２１】
好適には、空気は上流側からブランケット対ブランケット間隙内へ吹き付けられることはない。
【図面の簡単な説明】
【００２２】
【図１】ウェブを安定化させることのない、複数の印刷ユニットを有する従来の自動転移印刷機を示している。
【図２】本発明の実施形態による非接触安定化装置を備えた印刷機を示している。
【図３】本発明の実施形態によるブロワの実施形態を示している。
【図４】本発明の実施形態によるブロワの実施形態を示している。
【符号の説明】
【００２３】
２００  印刷機、  ２０５  印刷ユニット、  ２１０  ウェブ、  ２１５  ブランケット胴、  ２２０  版胴、  ２２１  自動刷版交換ユニット、  ２３０，２３５  ブロワ、  ２３２  アクチュエータ、  ４０５  ノズル
【図１】
2009525206.tif 000003
【図２】
2009525206.tif 000004
【図３】
2009525206.tif 000005
【図４】
2009525206.tif 000006
【国際調査報告】
2009525206.tif 000007